(57)【要約】本発明は、移動通信端末機を用いた無線インターネットサービス品質測定方法及びシステムに関するものである。本発明は、無線インターネットサービスを提供する移動通信網と、品質を測定した情報である品質測定情報を受信して格納し管理する品質管理サーバと、移動通信網を用いて無線インターネットサービスに接続し、品質を測定することで、品質測定情報を収集して伝達する無線インターネット接続プログラム、無線インターネット接続プログラムをして無線インターネットサービスに接続するように基盤環境を提供する無線インターネットプラットフォーム、及び無線インターネット接続プログラムから品質測定情報の伝達を受けて格納し、品質測定サーバへ送信する品質測定プログラムを具備し、無線インターネット接続プログラムと品質測定プログラムとの間の連動により、品質を測定して上記品質測定情報を収集し、品質管理サーバへ送信する移動通信端末機と、を含むことを特徴とする移動通信端末機を用いた無線インターネットサービス品質測定システムを提供する。本発明によると、移動通信端末機において、プログラムを用いて無線インターネットサービスの品質を測定することができる。
2009515464.tif 000002
【特許請求の範囲】
【請求項１】
無線インターネットサービスの品質を測定するシステムであって、
前記無線インターネットサービスを提供する移動通信網と、
前記品質を測定した情報である品質測定情報を受信して、格納し管理する品質管理サーバと、
前記移動通信網を用いて前記無線インターネットサービスに接続し、前記品質を測定することで、前記品質測定情報を収集して伝達する無線インターネット接続プログラム、前記無線インターネット接続プログラムをして前記無線インターネットサービスに接続するように基盤環境を提供する無線インターネットプラットフォーム、及び前記無線インターネット接続プログラムから前記品質測定情報の伝達を受けて格納し、前記品質測定サーバへ送信する品質測定プログラムを具備し、前記無線インターネット接続プログラムと前記品質測定プログラムとの間の連動により、前記品質を測定して前記品質測定情報を収集し、前記品質管理サーバへ送信する移動通信端末機と、
を含むことを特徴とする移動通信端末機を用いた無線インターネットサービス品質測定システム。
【請求項２】
前記移動通信端末機は、
前記品質測定情報を前記無線インターネットプラットフォームのメッセージハンドラーを用いて無線インターネット接続プログラムから前記品質測定プログラムに伝達することを特徴とする請求項１に記載の移動通信端末機を用いた無線インターネットサービス品質測定システム。
【請求項３】
前記移動通信端末機は、
前記無線インターネット接続プログラム及び前記品質測定プログラムが共有する共有メモリをさらに具備し、かつ前記無線インターネットプログラムは、前記品質測定情報を前記共有メモリを用いて前記品質測定プログラムに伝達することを特徴とする請求項１に記載の移動通信端末機を用いた無線インターネットサービス品質測定システム。
【請求項４】
前記移動通信端末機は、
前記品質管理サーバから前記品質を測定するための設定情報を受信して格納し、かつ前記無線インターネット接続プログラムは、前記無線インターネットサービスに接続する場合、前記設定情報を確認して前記設定情報に指定された条件に満たす場合のみに前記品質を測定することを特徴とする請求項１に記載の移動通信端末機を用いた無線インターネットサービス品質測定システム。
【請求項５】
前記品質測定プログラムは、
前記品質管理サーバから前記品質を測定するための品質測定シナリオを受信して格納し、前記無線インターネット接続プログラムをして前記品質測定シナリオに従って前記品質を測定するように制御することを特徴とする請求項１に記載の移動通信端末機を用いた無線インターネットサービス品質測定システム。
【請求項６】
前記品質測定情報は、
前記移動通信網の電波の品質に対する情報であるＲＦ品質情報、前記無線インターネットサービスの接続に対する品質情報である接続品質情報、及び前記無線インターネットサービスに接続する時に発生するプログラム上の誤りに対する情報であるプログラム誤り情報のうちの一つ以上を含むことを特徴とする請求項１に記載の移動通信端末機を用いた無線インターネットサービス品質測定システム。
【請求項７】
前記ＲＦ品質情報は、
前記移動通信網を構成する移動通信システムに対する情報及び前記移動通信端末機と前記移動通信網との間に送受信する電波に対する情報のうちの一つ以上を含むことを特徴とする請求項６に記載の移動通信端末機を用いた無線インターネットサービス品質測定システム。
【請求項８】
前記接続品質情報は、
前記無線インターネットサービスを利用するのに所要される経過時間に対する情報である接続時間情報、及び前記無線インターネットサービスを利用することに発生する成功率に対する情報である体感成功率情報のうちの一つ以上を含むことを特徴とする請求項６に記載の移動通信端末機を用いた無線インターネットサービス品質測定システム。
【請求項９】
前記接続時間情報は、
前記移動通信端末機が前記無線インターネットサービスに接続し、初期ページを受信して、画面上に出力するのにかかる所要時間である初期接続時間、及び前記初期ページでメニューを移動するのにかかる所要時間であるメニュー移動時間のうちの一つ以上を含むことを特徴とする請求項８に記載の移動通信端末機を用いた無線インターネットサービス品質測定システム。
【請求項１０】
前記初期接続時間は、
無線チャネル獲得時間（Traffic Channel Assignment Time：ＴＣＡＴ）、無線リンクプロトコル設定時間（Radio Link Protocol Setup Time：ＲＳＴ）、点対点プロトコル折衝時間（Pont-to-Point Protocol Negotiation Time：ＰＰＰＮＴ）、ＤＮＳ要請時間（Domain Name Server Query Time：ＤＮＳＱＴ）、ＷＡＰゲートウェイ接続時間（Wireless Application Protocol Gateway Access Time：ＷＧＡＴ）、及び初期ページダウンロード時間（Primary Page Download Time：ＰＤＴ）のうちの一つ以上を含むことを特徴とする請求項９に記載の移動通信端末機を用いた無線インターネットサービス品質測定システム。
【請求項１１】
前記体感成功率情報は、
前記無線インターネットサービスに接続した成功率である接続成功率、前記無線インターネットサービスを用いてコンテンツを検索した成功率である検索成功率、及び前記無線インターネットサービスを利用する際、データを正常に伝送した成功率である伝送成功率のうちの一つ以上を含むことを特徴とする請求項８に記載の移動通信端末機を用いた無線インターネットサービス品質測定システム。
【請求項１２】
無線インターネットサービスの提供を受ける移動通信端末機、前記無線インターネットサービスを提供する移動通信網、及び前記無線インターネットサービスの品質を管理する品質管理サーバを含むシステムにおける前記品質を測定する方法であって、
（ａ）前記移動通信端末機が前記品質を測定するための条件を指定した設定情報を前記品質管理サーバから受信して格納するステップと、
（ｂ）前記移動通信端末機が前記移動通信網が提供する前記無線インターネットサービスに接続するステップと、
（ｃ）前記移動通信端末機が前記設定情報を分析して前記条件を満たす場合、前記品質を測定して品質測定情報を収集するステップと、
（ｄ）前記移動通信端末機が前記品質測定情報を前記品質管理サーバへ送信するステップと、
を含むことを特徴とする移動通信端末機を用いた無線インターネットサービス品質測定方法。
【請求項１３】
前記ステップ（ｃ）は、
（ｃ１）前記移動通信端末機が前記設定情報を分析して前記条件を満たす場合、前記移動通信網の電波の品質に対する情報であるＲＦ品質情報を前記品質測定情報として収集するステップと、
（ｃ２）前記移動通信端末機が前記設定情報を分析して前記条件を満たす場合、前記無線インターネットサービスの接続に対する品質情報である接続品質情報を前記品質測定情報として収集するステップと、
（ｃ３）前記移動通信端末機が前記設定情報を分析して前記条件を満たす場合、前記無線インターネットサービスに接続する時に発生するプログラム上の誤りに対する情報であるプログラム誤り情報を前記品質測定情報として収集するステップと、
のうち、一つ以上を含むことを特徴とする請求項１２に記載の移動通信端末機を用いた無線インターネットサービス品質測定方法。
【発明の詳細な説明】
【技術分野】
【０００１】
本発明は、移動通信端末機を用いた無線インターネットサービス品質測定方法及びシステムに関し、より詳しくは、移動通信端末機に備えられた無線インターネット接続プログラムに無線インターネットサービスの品質を測定する機能を追加し、無線インターネットサービスの品質を管理する品質管理サーバと通信する品質測定プログラムを移動通信端末機に具備するようにして、移動通信端末機で品質測定プログラムと無線インターネット接続プログラムとの間の連動により無線インターネットサービスの品質を測定して格納し、移動通信端末機で測定した品質を品質管理サーバで管理するようにする方法及びシステムに関する。
【背景技術】
【０００２】
情報通信技術の発達により情報化社会に進行するにつれて、社会、文化、及び経済など、全分野でインターネットが重要で、かつ必須的な媒体として位置付けてある。また、最近、通信及びネットワーク技術が発達して、移動しながら通信できるＣＤＭＡ（Code Division Multiple Access）２０００システム、ＷＣＤＭＡ（Wideband CDMA）システム、ＷｉＢｒｏ（Wireless Internet Broadband）システム、高速下りパケット接続（High Speed Downlink Packet Access：ＨＳＤＰＡ ）システムなどの移動通信システムが開発されて進化しており、それによって、無線でインターネットを利用できる無線インターネット技術が台頭した。
【０００３】
したがって、無線インターネット技術を用いた多様な種類のコンテンツ（Content）サービス、例えば、チャット、同好会、ゲーム、ショッピングモールなどの無線インターネットサービスが広く利用されている。このように、無線インターネットサービスは、リアルタイムに遠隔の相手方と対話、ゲーム、購買、販売など、多様な活動をすることができるので、需要層が急激に広がっている趨勢である。
【０００４】
一方、前述した移動通信システムを用いた無線インターネットサービスは、多重区間及び多重プロトコルを用いて移動通信加入者に提供される。即ち、移動通信システムは、初期に音声通話を基盤に開発されて、音声通話区間とデータ通信区間が区分されているだけでなく、有線インターネットと無線インターネットとの間、そして移動通信システムの各装置の間に通信するために使用するプロトコルの差により無線インターネットサービスを提供することに多様なプロトコルが用いられる。
【０００５】
したがって、無線インターネットサービスは、接続成功率、接続速度のような移動通信加入者が体感するサービス品質が通常的な音声通話サービスに比べて低いことがあるので、これに対する体系的な管理が必要とされる実状であり、サービス品質に異常が発生する場合、異常がある区間を速かに把握してサービス品質を改善することに活用する具体的な技術の開発が要求されている。
【発明の開示】
【発明が解決しようとする課題】
【０００６】
このような問題点を解決し、このような要求に応ずるために、本発明は、移動通信端末機に備えられた無線インターネット接続プログラムに無線インターネットサービスの品質を測定する機能を追加し、無線インターネットサービスの品質を管理する品質管理サーバと通信する品質測定プログラムを移動通信端末機に具備するようにして、移動通信端末機で品質測定プログラムと無線インターネット接続プログラムとの間の連動により無線インターネットサービスの品質を測定して格納し、移動通信端末機で測定した品質を品質管理サーバで管理するようにする方法及びシステムを提供することをその目的とする。
【課題を解決するための手段】
【０００７】
このような目的を達成するために、本発明は、無線インターネットサービスの品質を測定するシステムであって、無線インターネットサービスを提供する移動通信網と、品質を測定した情報である品質測定情報を受信して、格納し管理する品質管理サーバと、移動通信網を用いて無線インターネットサービスに接続し、品質を測定することで、品質測定情報を収集して伝達する無線インターネット接続プログラム、無線インターネット接続プログラムをして無線インターネットサービスに接続するように基盤環境を提供する無線インターネットプラットフォーム、及び無線インターネット接続プログラムから品質測定情報の伝達を受けて格納し、品質測定サーバへ送信する品質測定プログラムを具備し、無線インターネット接続プログラムと品質測定プログラムとの間の連動により、品質を測定して品質測定情報を収集し、品質管理サーバへ送信する移動通信端末機と、を含むことを特徴とする移動通信端末機を用いた無線インターネットサービス品質測定システムを提供する。
【０００８】
また、本発明の他の目的によると、無線インターネットサービスの提供を受ける移動通信端末機、無線インターネットサービスを提供する移動通信網、及び無線インターネットサービスの品質を管理する品質管理サーバを含むシステムにおける上記品質を測定する方法であって、（ａ）移動通信端末機が品質を測定するための条件を指定した設定情報を品質管理サーバから受信して格納するステップと、（ｂ）移動通信端末機が移動通信網が提供する無線インターネットサービスに接続するステップと、（ｃ）移動通信端末機が設定情報を分析して条件を満たす場合、品質を測定して品質測定情報を収集するステップと、（ｄ）移動通信端末機が品質測定情報を品質管理サーバへ送信するステップと、を含むことを特徴とする移動通信端末機を用いた無線インターネットサービス品質測定方法を提供する。
【発明の効果】
【０００９】
本発明によると、移動通信端末機でプログラムを用いて無線インターネットサービスの品質を測定することができる。
【００１０】
また、移動通信端末機で測定した無線インターネットサービスの品質をネットワーク上の特定のサーバで体系的に管理することができる。
【００１１】
また、移動通信端末機で無線インターネットサービスの品質を区間別に区分して測定することで、品質に異常が発生した区間を容易に把握して品質の低下に速かに対処することができる。
【００１２】
また、移動通信端末機が無線インターネットサービスの利用中に、無線インターネットサービスの品質を測定するので、移動通信加入者が体感する品質を測定することができる。
【００１３】
また、無線インターネットサービスの品質を測定または管理する専門家は、品質測定のためのシナリオを移動通信端末機にダウンロードして該シナリオに従って無線インターネットサービスの品質を測定できるので、専門的な品質を測定することができる。
【発明を実施するための最良の形態】
【００１４】
以下、本発明の好ましい実施形態を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００１５】
図１は、本発明の第１実施形態に係る移動通信端末機を用いた無線インターネットサービス品質測定システムを簡略に示すブロック構成図である。
【００１６】
本発明の第１実施形態に係る移動通信端末機を用いた無線インターネットサービス品質測定システムは、移動通信端末機１１０、移動通信網１２０、コンテンツ提供サーバ１３０、及び品質管理サーバ１４０を含む。
【００１７】
移動通信端末機１１０は、移動通信網１２０を用いて音声通話サービス及び無線インターネットサービスを含む移動通信サービスの提供を受ける端末機であって、ＰＤＡ（Personal Digital Assistant）、セルラーフォン、ＰＣＳ（Personal Communication Service）フォン、ハンドヘルドＰＣ（Hand-Held PC）、ＧＳＭ（Global System for Mobile）フォン、ＷＣＤＭＡ（Wideband CDMA）フォン、ＣＤＭＡ−２０００フォン、ＭＢＳ（Mobile Broadband System）フォン、ノートブックＰＣ、無線通信機能を具備した携帯型マルチメディアプレーヤ（Portable Multimedia Player：ＰＭＰ）とプレイステーションポータブル（Play Station Portable：ＰＳＰ）などとすることができる。
【００１８】
本発明の第１実施形態に係る移動通信端末機１１０は、移動通信網１２０が提供する無線インターネットサービスに接続し、無線インターネットサービスの品質を測定して品質測定情報を収集し伝達する無線インターネット接続プログラム、無線インターネット接続プログラムをして無線インターネットサービスに接続するように基盤環境を提供する無線インターネットプラットフォーム、及び無線インターネット接続プログラムから品質測定情報の伝達を受けて格納し、品質管理サーバ１４０へ送信する品質測定プログラムを具備し、無線インターネット接続プログラムと品質測定プログラムとの間の連動により、無線インターネットサービスの品質を測定して品質測定情報を格納し送信する移動通信端末機である。
【００１９】
このために、本発明の第１実施形態に係る移動通信端末機１１０は、前述した無線インターネット接続プログラム、無線インターネットプラットフォーム、品質測定プログラムなどを格納し実行するメモリ、マイクロプロセッサなどを具備する。
【００２０】
また、本発明の第１実施形態に係る移動通信端末機１１０は、前述した品質測定情報を測定して格納するにあたって、無線インターネット接続プログラムと品質測定プログラムが無線インターネットプラットフォームのメッセージハンドラーを用いて連動することで、品質測定情報を共有するか、共有メモリを用いて連動することで、品質測定情報を共有する。
【００２１】
また、本発明の第１実施形態に係る移動通信端末機１１０は、無線インターネットサービスの品質を測定するにあたって、移動通信網１２０から現在接続した移動通信システムに対する情報及び移動通信網１２０と送受信する電波に対する情報のうちの一つ以上を含むＲＦ品質情報を品質測定情報として収集する。
【００２２】
また、本発明の第１実施形態に係る移動通信端末機１１０は、無線インターネットサービスの品質を測定するにあたって、無線インターネットサービスの接続に対する品質情報である接続品質情報を品質測定情報として収集する。ここで、接続品質情報は、無線インターネットサービスを利用するに所要される経過時間に対する情報である接続時間情報、及び無線インターネットサービスを利用することに発生する成功率に対する情報である体感成功率情報のうちの一つ以上を含む。
【００２３】
また、本発明の第１実施形態に係る移動通信端末機１１０は、無線インターネットサービスに接続して初期ページを受信し、画面上に出力するに所要される経過時間である初期接続時間、及び初期ページでメニューを移動するに所要される経過時間であるメニュー移動時間のうちの一つ以上を測定することで、前述した接続時間情報を収集する。
【００２４】
また、本発明の第１実施形態に係る移動通信端末機１１０は、無線チャネル割り当て時間（Traffic Channel Assignment Time：ＴＣＡＴ）、無線リンクプロトコル設定時間（Radio Link Protocol Setup Time：ＲＳＴ）、点対点プロトコル折衝時間（Pont-to-Point Protocol Negotiation Time：ＰＰＰＮＴ）、ＤＮＳ要請時間（Domain Name Server Query Time：ＤＮＳＱＴ）、ＷＡＰゲートウェイ接続時間（Wireless Application Protocol Gateway Access Time：ＷＧＡＴ）、及び初期ページダウンロード時間（Primary Page Download Time：ＰＤＴ）のうちの一つ以上を測定することで、前述した初期接続時間を収集する。
【００２５】
また、本発明の第１実施形態に係る移動通信端末機１１０は、無線インターネットサービスに接続した成功率である接続成功率、無線インターネットサービスを用いてコンテンツを検索した成功率である検索成功率、及び無線インターネットサービスを利用する時にデータを正常に伝送した成功率である伝送成功率のうちの一つ以上を測定することで、前述した体感成功率情報を収集する。
【００２６】
また、本発明の第１実施形態に係る移動通信端末機１１０は、無線インターネットサービスに接続する時に発生する無線インターネット接続プログラム上の誤りに対する情報であるプログラム誤り情報を前述した品質測定情報として収集する。
【００２７】
移動通信網１２０は、移動通信端末機１１０に、音声通話サービス、無線インターネットサービス、短文メッセージサービス、マルチメディアメッセージングサービスなどの移動通信サービスを提供する通信ネットワークであって、ＣＤＭＡ（Code Division Multiple Access）２０００システム、ＷＣＤＭＡ（Wideband CDMA）システム、高速下りパケット接続（High Speed Downlink Packet Access：ＨＳＤＰＡ）システム、 ＷｉＢｒｏ（Wireless Internet Broadband）システム、無線ＬＡＮ（Wireless Local Area Network：ＷＬＡＮ）システムなどの無線インターネット網になることができる。
【００２８】
本発明の第１実施形態に係る移動通信網１２０は、基地局１２２、基地局制御機１２４、パケットデータサービングノード（Packet Data Serving Node：ＰＤＳＮ）１２６、及びＷＡＰゲートウェイ（Wireless Application Protocol Gateway）１２８を含み、移動通信端末機１１０に無線インターネットサービスを提供することで、移動通信端末機１１０が無線インターネットサービスに接続し、コンテンツ提供サーバ１３０と通信してコンテンツを検索及び送受信できるように通信経路を提供する。ここで、移動通信網１２０は、ＣＤＭＡ２０００システムで構成されると仮定した。但し、本発明において、前述した仮定は、説明の便宜のためのものであり、移動通信網１２０は、ＣＤＭＡ２０００システムだけでなく、前述した多様な無線インターネット網になることができ、それによって、移動通信網１２０を構成する各装置は変わることができる。
【００２９】
また、本発明の第１実施形態に係る移動通信網１２０は、移動通信端末機１１０からＲＦ品質情報が要請されると、要請された時点に移動通信端末機１１０が接続した移動通信システムに対する情報及び移動通信端末機１１０と送受信する電波に対する情報のうちの一つ以上を含むＲＦ品質情報を移動通信端末機１１０へ送信する。
【００３０】
コンテンツ提供サーバ１３０は、通常的なネットワークサーバで具現されて、種々のコンテンツを生成または受信して格納し、コンテンツダウンロードサービスまたはコンテンツアップロードサービスを移動通信端末機１１０に提供するためのメニューページを生成して格納し、無線インターネットサービスに接続した移動通信端末機１１０とデータ通信を遂行することで、前述したコンテンツダウンロードサービスまたはコンテンツアップロードサービスを提供する。
【００３１】
本発明の第１実施形態に係る品質管理サーバ１４０は、通常的なネットワークサーバで具現されて、移動通信端末機１１０が無線インターネットサービスの品質を測定して収集した品質測定情報を受信して格納し、品質測定情報を分析して統計情報を抽出する等の加工を遂行する。
【００３２】
また、本発明の第１実施形態に係る品質管理サーバ１４０は、移動通信端末機１１０に無線インターネットサービスの品質を測定するための条件を指定した設定情報を生成して格納し、移動通信端末機１１０の要請に従って、または周期的に移動通信端末機１１０へ送信して、移動通信端末機１１０をして該条件を満たす場合、無線インターネットサービスの品質を測定して品質測定情報を収集し送信するようにすることができる。
【００３３】
ここで、設定情報は、無線インターネットサービスの品質を測定するための条件を指定した情報であって、例えば無線インターネットサービスの品質を測定する開始時間と終了時間になることができる。したがって、移動通信端末機１１０は、設定情報を確認して、開始時間になると無線インターネットサービスの品質を測定し、終了時間になると無線インターネットサービスの品質を測定することを中断し、収集した品質測定情報を品質管理サーバ１４０へ送信することができる。
【００３４】
図２は、本発明の第１実施形態に係る移動通信端末機を用いた無線インターネットサービス品質測定方法を説明するためのフローチャートである。
【００３５】
品質管理サーバ１４０は、設定情報を生成して格納し、設定情報を短文メッセージ型式に変換し、移動通信網１２０が提供する短文メッセージサービスを用いて移動通信端末機１１０へ送信するか、移動通信網１２０を介して移動通信端末機１１０へプッシュ方式により設定情報を送信することで、移動通信端末機１１０へ設定情報を送信し、移動通信端末機１１０は品質管理サーバ１４０から設定情報を受信して格納する（Ｓ２１０）。
【００３６】
前述したように、移動通信端末機１１０が設定情報を格納した状態で、ユーザが無線インターネットサービスを利用するために、移動通信端末機１１０を操作して無線インターネットサービスの接続を選択すると、移動通信端末機１１０は、移動通信網１２０が提供する無線インターネットサービスに接続する（Ｓ２２０）。
【００３７】
無線インターネットサービスに接続した移動通信端末機１１０は、ステップＳ２１０で、格納した設定情報を確認して、設定情報に指定された条件に満たすか否かを確認し（Ｓ２３０）、指定された条件に満たさない場合は、無線インターネットサービスのみを遂行し、指定された条件に満たす場合は、移動通信網１２０からＲＦ品質情報を収集する（Ｓ２４０）。
【００３８】
ＲＦ品質情報を収集した移動通信端末機１１０は、無線インターネットサービスを遂行する過程で、接続品質情報を収集する（Ｓ２５０）。接続品質情報を収集した移動通信端末機１１０は、無線インターネット接続プログラムが実行される過程で発生するプログラム誤りを測定してプログラム誤り情報を収集する（Ｓ２６０）。
【００３９】
一方、移動通信端末機１１０は、ステップＳ２４０、ステップＳ２５０、ステップＳ２６０で収集するＲＦ品質情報、接続品質情報、及びプログラム誤り情報のうちの一つのみを収集することもでき、全て収集することもできる。即ち、各情報のうち、少なくとも一つ以上を選択的に収集することができる。
【００４０】
したがって、ＲＦ品質情報、接続品質情報、及びプログラム誤り情報のうちの一つ以上を収集した移動通信端末機１１０は、収集した各情報を含む品質測定情報を生成して、設定情報に指定された終了時間に、または品質管理サーバ１４０から品質測定情報の送信の要請を受けた時に、品質測定情報を品質管理サーバ１４０へ送信する（Ｓ２７０）。
【００４１】
品質管理サーバ１４０は、品質測定情報を受信して格納し、品質測定情報を分析して加工する（Ｓ２８０）。
【００４２】
前述したステップＳ２１０乃至ステップＳ２８０は、無線インターネットサービスを利用する通常的な移動通信加入者が無線インターネットサービスを利用する際、移動通信加入者をして移動通信端末機１１０が無線インターネットサービスの品質を測定することを認識できないように、無線インターネットサービスの品質を測定することについて説明したものである。これによって、移動通信端末機１１０は、通常的な移動通信加入者が体感する無線インターネットサービスの品質を測定することができる。
【００４３】
一方、本発明の好ましい実施形態によると、通常的な移動通信加入者でない、品質測定要員、品質管理要員など、品質測定及び管理に専門的な知識を有する移動通信加入者が移動通信端末機１１０を用いて無線インターネットサービスの品質を測定することができる。
【００４４】
この場合、移動通信端末機１１０は、品質管理サーバ１４０に接続して品質管理サーバ１４０から無線インターネットサービスの品質を測定するための所定のシナリオである品質測定シナリオをダウンロード受けて格納する。品質測定シナリオをダウンロード受けて格納した移動通信端末機１１０は、無線インターネットサービスの品質測定が選択されると、品質測定シナリオに従って無線インターネットサービスに接続して品質測定情報を収集した後、品質管理サーバ１４０へ送信する。
【００４５】
即ち、専門的な知識を有する移動通信加入者が無線インターネットサービスの品質を測定する場合には、通常的な移動通信加入者の場合のように、移動通信端末機１１０が品質管理サーバ１４０から設定情報を受信して格納した状態で、通常的な移動通信加入者により無線インターネットサービスの接続が選択されると、無線インターネットサービスに接続すると共に、無線インターネットサービスの品質を測定することでなく、品質管理サーバ１４０から既ダウンロードした所定のシナリオに定義された手続きに従って移動通信網１２０と通信を遂行することで、無線インターネットサービスの品質を測定する。
【００４６】
以下、前述した本発明の第１実施形態に係る移動通信端末機を用いた無線インターネットサービス品質測定システムにおいて、無線インターネットサービスの品質を測定する移動通信端末機の詳細な構成と移動通信端末機を用いて無線インターネットサービスの品質を測定する方法を本発明の第２実施形態及び本発明の第３実施形態を通じて説明する。
【００４７】
ここで、本発明の第２実施形態は、移動通信端末機１１０で無線インターネット接続プログラムと品質測定プログラムとの間に無線インターネットプラットフォームのメッセージハンドラーを用いて連動することで、品質測定情報を収集して伝達することに関するものであり、本発明の第３実施形態は、移動通信端末機１１０で無線インターネット接続プログラムと品質測定プログラムとの間に共有メモリを用いて連動することで、品質測定情報を収集して伝達することに関するものである。
【００４８】
図３は、本発明の第２実施形態に係るメッセージハンドラーを用いた無線インターネットサービス品質測定移動通信端末機を簡略に示すブロック構成図である。
【００４９】
本発明の第２実施形態に係るメッセージハンドラーを用いた無線インターネットサービス品質測定移動通信端末機１１０は、移動通信処理部３１０、無線インターネット処理部３２０、無線インターネット接続部３３０、品質測定部３４０、及び設定情報格納部３５０を含む。
【００５０】
移動通信処理部３１０は、音声信号をコーディングまたはデコーディングし、多重経路雑音除去のために、イコライザー機能を遂行し、音響データ処理機能などを遂行するディジタル信号処理機能、送受信される信号に対して基底帯域の信号に変換し、ディジタル−アナログ変換及びアナログ−ディジタル変換処理などを遂行するベースバンド変換機能、アンテナ２１６からＲＦ（Radio Frequency）信号を受信してＩＦ（Intermediate Frequency）信号に変換し、ＩＦ信号をＲＦ信号に変換し、ＲＦ信号を復調及び増幅するＲＦ信号処理機能などを遂行することで、移動通信網１２０の基地局１２２と通信を遂行する移動通信処理手段である。
【００５１】
無線インターネット処理部３２０は、ＷＩＰＩ（Wireless Internet Platform for Interoperability）、Ｂｒｅｗ（Binary Runtime Environment for Wireless）、Ｊａｖａ仮想マシン（Java Virtual Machine）のように、無線インターネットサービスに接続できる基盤環境を提供する運営体制としての機能を遂行するソフトウェアまたはハードウェアである無線インターネットプラットフォームを格納及び実行する無線インターネット処理手段である。
【００５２】
無線インターネット接続部３３０は、ウェブブラウザ、ＷＡＰブラウザ、次世代ブラウザ（New Generation Browser：ＮＧＢ）、注文型ビデオ（Video on Demand：ＶＯＤ）プレーヤーのように、前述した無線インターネットプラットフォーム上で動作して無線インターネットサービスに接続した後、コンテンツを検索し送受信するソフトウェアである無線インターネット接続プログラムを格納及び実行する無線インターネット接続手段である。
【００５３】
品質測定部３４０は、無線インターネット接続プログラムと連動して収集された品質測定情報を格納し、品質管理サーバ１４０へ送信するソフトウェアである品質測定プログラムを格納及び実行する品質測定手段である。
【００５４】
無線インターネット処理部３２０、無線インターネット接続部３３０、及び品質測定部３４０は、各々無線インターネットプラットフォーム、無線インターネット接続プログラム、及び品質測定プログラムを格納し実行する処理手段であって、各プログラムで指定された所定のアルゴリズムに従って動作する。したがって、無線インターネット処理部３２０、無線インターネット接続部３３０、及び品質測定部３４０は、無線インターネットプラットフォーム、無線インターネット接続プログラム、及び品質測定プログラムの動作と同一または類似しているので、以下では、説明の便宜のために、無線インターネット処理部３２０、無線インターネット接続部３３０、及び品質測定部３４０の動作を無線インターネットプラットフォーム、無線インターネット接続プログラム、及び品質測定プログラムが動作することと説明する。
【００５５】
ここで、本発明の第２実施形態に係る無線インターネット接続プログラムは、無線インターネット接続部３２０により駆動されると、無線インターネットプラットフォーム上で動作して、品質測定プログラムを実行するように制御し、無線インターネットサービスに接続した後、無線インターネットサービスの品質を測定して品質測定情報を収集し、品質測定情報をメッセージ型式に変換して品質測定メッセージを生成した後、無線インターネットプラットフォームに伝達する。この際、無線インターネット接続プログラムは、品質測定メッセージに品質測定プログラムを識別するための識別子を挿入する。
【００５６】
また、本発明の第２実施形態に係る無線インターネットプラットフォームは、メッセージを分配するメッセージハンドラーを含み、無線インターネット接続プログラムから品質測定メッセージを受信すると、品質測定メッセージに挿入された識別子を確認して品質測定プログラムへ送信するメッセージであることを確認し、品質測定メッセージを品質測定プログラムへ送信する。
【００５７】
また、本発明の第２実施形態に係る品質測定プログラムは、無線インターネット接続プログラムにより実行されて、無線インターネットプラットフォームから品質測定メッセージを受信すると、品質測定情報に変換して格納した後、品質管理サーバ１４０から品質測定情報送信の要請を受けると、品質管理サーバ１４０へ品質測定情報を送信する。
【００５８】
一方、本発明の第２実施形態に係る品質測定プログラムは、品質管理サーバ１４０から設定情報を受信すると、設定情報格納部３５０に格納し、本発明の第２実施形態に係る無線インターネット接続プログラムは、駆動される際、無線インターネットサービスに接続した後、設定情報格納部３５０で設定情報を照合して設定情報に指定された条件を満たす場合、始めて前述したように無線インターネットサービスの品質を測定することができる。
【００５９】
本発明の第２実施形態に係る設定情報格納部３５０は、無線インターネット接続プログラム及び品質測定プログラムが共有するデータを格納するデータ格納手段であって、品質測定プログラムから設定情報を受信して格納し、無線インターネット接続プログラムで設定情報を照合できるようにする。
【００６０】
図４は、本発明の第２実施形態に係るメッセージハンドラーを用いた無線インターネットサービス品質測定方法を説明するためのフローチャートである。
【００６１】
品質管理サーバ１４０は、無線インターネットサービスの品質を測定するための条件の入力を受けるか、受信して前述した条件を指定した設定情報を生成し格納した後、移動通信網１２０が提供する短文メッセージサービスを利用するか、プッシュ（Push）方式により移動通信端末機１１０の品質測定プログラムへ送信する（Ｓ４０２）。
【００６２】
品質管理サーバ１４０が設定情報を送信すると、移動通信端末機１１０で品質測定プログラムが駆動され（Ｓ４０４）、品質測定プログラムは受信した設定情報を設定情報格納部３５０に格納する（Ｓ４０６）。ここで、ステップＳ４０２乃至ステップＳ４０６は、必要によって選択的に遂行されることができる。
【００６３】
移動通信加入者が移動通信端末機１１０を操作して無線インターネットサービスの接続を選択すると、無線インターネット接続プログラムが駆動され（Ｓ４０８）、無線インターネット接続プログラムは品質測定プログラムを駆動し（Ｓ４０８）、無線インターネットサービスに接続して（Ｓ４１０）、コンテンツ提供サーバ１３０と通信を遂行することで、コンテンツを検索及び送受信する。
【００６４】
また、無線インターネット接続プログラムは、品質測定情報を収集し（Ｓ４１６）、品質測定情報をメッセージ型式に変換し、品質測定プログラムに送信するメッセージであることを識別するための識別子を挿入することで、品質測定メッセージを生成し（Ｓ４１８）、品質測定メッセージを無線インターネットプラットフォームへ送信する（Ｓ４２０）。一方、無線インターネット接続プログラムは、ステップＳ４０２乃至ステップＳ４０６が遂行された場合、設定情報格納部３５０から設定情報を照合して獲得した後（Ｓ４１２）、設定情報に指定された条件を満たすか否かを確認し（Ｓ４１４）、満たす場合のみに品質測定情報を収集する。
【００６５】
品質測定メッセージを受信した無線インターネットプラットフォームは、品質測定メッセージを受信すると、メッセージハンドラーを用いて品質測定メッセージを分析して識別子を確認することで、品質測定メッセージが品質測定プログラムに伝達されなければならないことを確認し、品質測定メッセージを品質測定プログラムに伝達し（Ｓ４２２）、品質測定プログラムは、品質測定メッセージを受信すると、品質測定メッセージを品質測定情報に変換して自身に具備するデータベースに格納する（Ｓ４２４）。
【００６６】
一方、ステップＳ４０２で、設定情報を送信した品質管理サーバ１４０は、夜間または夜明のように、トラフィック量が少ない最閑時に移動通信端末機１１０の品質測定プログラムに品質測定情報を送信することを要請し（Ｓ４２６）、品質測定プログラムは格納した品質測定情報を品質管理サーバ１４０へ送信し（Ｓ４２８）、品質管理サーバ１４０は受信した品質測定情報を格納し、分析及び加工する（Ｓ４３０）。一方、品質測定プログラムは、品質管理サーバ１４０から品質測定情報の送信が要請されなくても設定情報を確認して設定情報に指定された終了時間に品質測定情報を品質管理サーバ１４０へ送信することができる。
【００６７】
前述した図４の方法に対する説明は、通常的な移動通信加入者が移動通信端末機を操作して、次世代ブラウザ、ＶＯＤプレーヤーなどの無線インターネット接続プログラムを駆動することで、無線インターネットサービスに接続してコンテンツサービスの提供を受ける際、無線インターネット接続プログラムが品質測定プログラムを駆動し、既格納された設定情報に指定された条件を満たす場合、無線インターネットサービスの品質を測定する過程について説明した。
【００６８】
一方、本発明の第２実施形態によると、前述したように、通常的な移動通信加入者が無線インターネットサービスに接続する時に品質測定を行うのに加えて、品質管理要員、品質測定要員などの専門家が移動通信端末機１１０を直接操作して無線インターネットサービスの品質を測定することができる。以下、図５を通じて専門家が移動通信端末機１１０を直接操作して無線インターネットサービスの品質を測定する方法について説明する。
【００６９】
図５は、本発明の第２実施形態に係るメッセージハンドラーを用いた専門家用無線インターネットサービス品質測定方法を説明するためのフローチャートである。
【００７０】
専門家である移動通信加入者は、無線インターネットサービスの品質を測定するための品質測定シナリオを予め移動通信端末機１１０に搭載しておくために移動通信端末機１１０を操作すると、移動通信端末機１１０は品質測定プログラムを駆動し（Ｓ５０２）、品質測定プログラムは品質測定サーバ１４０から無線インターネットサービスの品質を測定するための品質測定シナリオをダウンロードして（Ｓ５０４）、格納する（Ｓ５０６）。
【００７１】
品質測定シナリオが格納された状態で、専門家である移動通信加入者は、無線インターネットサービスの品質測定が必要とされる場合、移動通信端末機１１０を操作して品質測定プログラムを駆動し（Ｓ５０８）、品質測定プログラムは格納された品質測定シナリオを確認する（Ｓ５１０）。
【００７２】
品質測定シナリオを確認した品質測定プログラムは、品質測定シナリオに従って無線インターネット接続プログラムを制御して（Ｓ５１２）、無線インターネット接続プログラムを駆動し（Ｓ５１４）、無線インターネット接続プログラムをして無線インターネットサービスに接続するようにし（Ｓ５１６）、無線インターネットサービスに接続する過程で、無線インターネットサービスの品質を測定して品質測定情報を収集した後（Ｓ５１８）、品質測定メッセージを生成して（Ｓ５２０）、無線インターネットプラットフォームへ送信するように制御する（Ｓ５２２）。この際、品質測定プログラムを識別するための識別子を品質測定メッセージに挿入する。
【００７３】
無線インターネットプラットフォームは、メッセージハンドラーを用いて受信した品質測定メッセージを確認し、品質測定メッセージに挿入された識別子を確認して品質測定プログラムに伝達するメッセージであることを把握し、品質測定メッセージを品質測定プログラムに伝達する（Ｓ５２４）。
【００７４】
品質測定メッセージを受信した品質測定プログラムは、品質測定メッセージを品質測定情報として変換して格納し（Ｓ５２６）、品質測定情報を品質管理サーバ１４０へ送信し（Ｓ５２８）、品質管理サーバ１４０は品質測定情報を格納し、加工及び分析する（Ｓ５３０）。
【００７５】
以上、説明したように、本発明の第２実施形態によると、無線インターネットプラットフォームを具備した移動通信端末機１１０は、無線インターネットサービスに接続し、無線インターネットサービスの品質を測定するための応用プログラムである無線インターネット接続プログラムと無線インターネット接続プログラムで測定した品質を移動通信端末機１１０で格納及び管理し、品質管理サーバ１４０へ送信する品質測定プログラムの間にメッセージハンドラーを用いて連動することで、通常的な移動通信加入者が体感する無線インターネットサービスの体感品質と専門的な品質を測定することができる。
【００７６】
図６は、本発明の第３実施形態に係る共有メモリを用いた無線インターネットサービス品質測定移動通信端末機を簡略に示すブロック構成図である。
【００７７】
本発明の第３実施形態に係る共有メモリを用いた無線インターネットサービス品質測定移動通信端末機１１０は、移動通信処理部３１０、無線インターネット処理部６１０、無線インターネット接続部６２０、品質測定部６３０、設定情報格納部３５０、及び共有メモリ６４０を含む。
【００７８】
移動通信処理部３１０及び設定情報格納部３５０は、図３を通じて説明した本発明の第２実施形態に係るメッセージハンドラーを用いた無線インターネットサービス品質測定移動通信端末機での構成及び機能と同一または類似しているので、それに対する詳細な説明は省略する。
【００７９】
また、無線インターネット処理部６１０、無線インターネット接続部６２０、及び品質測定部６３０は、図３を通じて説明した本発明の第２実施形態に係るメッセージハンドラーを用いた無線インターネットサービス品質測定移動通信端末機とその構成及び一般的な機能が同一または類似しているので、一般的な機能に対する説明は省略し、他の機能に対してのみ説明する。
【００８０】
本発明の第３実施形態に係る無線インターネット処理部６１０は、図３を通じて説明した無線インターネット処理部３２０のように、無線インターネットプラットフォームを格納し実行する処理手段であって、無線インターネット接続のための基盤環境として提供する。但し、本発明の第３実施形態に係る無線インターネットプラットフォームは、無線インターネット接続プログラムから品質測定メッセージを受信し、メッセージハンドラーを用いて品質測定メッセージを品質測定プログラムに伝達しない。
【００８１】
本発明の第３実施形態に係る無線インターネット接続部６２０は、図３を通じて説明したように、無線インターネット接続プログラムを格納及び実行して無線インターネットサービスに接続し、無線インターネットサービスの品質を測定するが、収集した品質測定情報をメッセージ型式に変換して無線インターネットプラットフォームへ送信せず、品質測定情報を共有メモリ６４０に格納して品質測定プログラムをして共有メモリ６４０で品質測定情報を照合して獲得するようにする。
【００８２】
本発明の第３実施形態に係る品質測定部６３０は、図３を通じて説明したように、品質測定プログラムを格納及び実行して、無線インターネット接続プログラムで収集した品質測定情報を格納し、品質管理サーバ１４０へ送信し、品質管理サーバ１４０と連動して設定情報を受信し、設定情報格納部３５０に格納するが、無線インターネットプラットフォームから品質測定メッセージを受信し変換して品質測定情報を格納するのでなく、共有メモリ６４０を周期的に照合して品質測定情報が更新されたか否かを確認し、更新された品質測定情報がある場合、共有メモリ６４０から品質測定情報を獲得して格納する。
【００８３】
即ち、本発明の第３実施形態に係る移動通信端末機１１０は、無線インターネット接続プログラムと品質測定プログラムが共有メモリを通じて品質測定情報を共有することで、相互間に連動して無線インターネットサービスの品質を測定する。
【００８４】
図７は、本発明の第３実施形態に係る共有メモリを用いた無線インターネットサービス品質測定方法を説明するためのフローチャートである。
【００８５】
ステップＳ７０２乃至ステップＳ７１６は、図４を通じて説明したステップＳ４０２乃至ステップＳ４１６と同一または類似しているので、それに対する詳細な説明は省略する。
ステップＳ７１６で、品質測定情報を収集した無線インターネット接続プログラムは、品質測定情報を共有メモリ６４０に格納する（Ｓ７１８）。
【００８６】
そして、ステップＳ７０８で、無線インターネット接続プログラムにより駆動された品質測定プログラムは、周期的に更新された品質測定情報があるか否かを確認するための周期である更新確認周期が到来するか否かを確認し（Ｓ７２０）、更新確認周期が到来しない場合は、引続き更新確認周期が到来するか否かを確認し、更新確認周期が到来した場合は、共有メモリ６４０を照合して（Ｓ７２２）、更新された品質測定情報があるか否かを確認し（Ｓ７２４）、更新された品質測定情報がない場合は、ステップＳ７２０に進行して更新確認周期が到来するか否かを再度確認し、更新された品質測定情報がある場合は、共有メモリ６４０から品質測定情報を受信し（Ｓ７２６）、自体のデータベースに格納する（Ｓ７２８）。
【００８７】
ステップＳ７３０乃至ステップＳ７３４は、図４を通じて説明したステップＳ４２６乃至ステップＳ４３０と同一または類似しているので、それに対する詳細な説明は省略する。
【００８８】
図８は、本発明の第３実施形態に係る共有メモリを用いた専門家用無線インターネットサービス品質測定方法を説明するためのフローチャートである。
【００８９】
ステップＳ８０２乃至ステップＳ８１８は、図５を通じて説明したステップＳ５０２乃至ステップＳ５１８と同一または類似しているので、それに対する詳細な説明は省略する。
【００９０】
ステップＳ８１８で、品質測定情報を収集した無線インターネット接続プログラムは、収集した品質測定情報を共有メモリ６４０に送信して共有メモリ６４０に格納する（Ｓ８２０）。
【００９１】
ステップＳ８０８で、駆動された品質測定プログラムは、更新確認周期が到来するか否かを確認し（Ｓ８２２）、更新確認周期が到来しない場合は、引続き更新確認周期が到来するか否かを再度確認し、更新確認周期が到来した場合は、共有メモリ６４０を照合し（Ｓ８２４）、更新された品質測定情報があるか否かを確認し（Ｓ８２６）、更新された品質測定情報がない場合は、ステップＳ８２２に進行して更新確認周期が到来するか否かを確認し、更新された品質測定情報がある場合は、共有メモリ６４０から品質測定情報を受信し（Ｓ８２８）、格納する（Ｓ８３０）。
【００９２】
ステップＳ８３２及びステップＳ８３４は、図５を通じて説明したステップＳ５２８及びステップＳ５３０と同一または類似しているので、詳細な説明は省略する。
【００９３】
以上、説明したように、本発明の第３実施形態によると、無線インターネットプラットフォームを具備した移動通信端末機１１０は、無線インターネットサービスに接続し、無線インターネットサービスの品質を測定するための応用プログラムである無線インターネット接続プログラムと無線インターネット接続プログラムで測定した品質を移動通信端末機１１０で格納及び管理し、品質管理サーバ１４０へ送信する品質測定プログラムの間に共有メモリを用いて連動することで、通常的な移動通信加入者が体感する無線インターネットサービスの体感品質と専門的な品質を測定することができる。
【００９４】
図９は、本発明の好ましい実施形態に係る品質測定情報を説明するための例示図である。
【００９５】
本発明の好ましい実施形態に係る品質測定情報は、図１を通じて説明したように、ＲＦ品質情報、接続品質情報、及びプログラム誤り情報を含む。
【００９６】
９Ａは、移動通信端末機１１０が無線インターネットサービスに接続する過程で収集するＲＦ品質情報を示すものである。本発明の好ましい実施形態に係るＲＦ品質情報は、移動通信システムに対する情報及び電波に対する情報を含む。
【００９７】
ここで、移動通信システムに対する情報は、移動通信網１２０を構成する移動通信システムに対する情報であって、図示したように、システムＩＤ（System Identification：ＳＩＤ）、ネットワークＩＤ（Network Identification：ＮＩＤ）、基地局制御機ＩＤ（Base Station Controller Identification：ＢＳＣＩＤ）、基地局ＩＤ（Base Transceiver Station Identification：ＢＴＳＩＤ）、疑似雑音（Pseudo Noise：ＰＮ）割り当て番号、使用ＦＡ（Frequency Assignment）などを含む。
【００９８】
また、電波に対する情報は、移動通信端末機１１０の受信信号強さ（Ｒｘ）、信号対雑音比（Ｅｃ／Ｉｏ）、移動通信端末機１１０の送信信号強さ（Ｔｘ）、移動通信端末機１１０の電力制御による送信信号の制御値（Ｔｘ＿Ａｄｊ）などを含む。
【００９９】
９Ｂは、移動通信端末機１１０が無線インターネットサービスに接続する過程で収集する接続品質情報を示すものである。本発明の好ましい実施形態に係る接続品質情報は、接続時間情報及び体感成功率情報を含む。
【０１００】
ここで、接続時間情報は、移動通信端末機１１０が無線インターネットサービスに接続し、初期ページを受信して画面上に出力するのにかかる所要時間である初期接続時間、及び初期ページでメニューを移動するのにかかる所要時間であるメニュー移動時間を含む。
【０１０１】
そして、初期接続時間は、移動通信端末機１１０が基地局１２２から無線チャネルの割り当てを受けることにかかる所要時間である無線チャネル割り当て時間（Traffic Channel Assignment Time：ＴＣＡＴ）、移動通信端末機１１０が基地局制御機１２４と無線リンクプロトコルを設定するのにかかる所要時間である無線リンクプロトコル設定時間（Radio Link Protocol Setup Time：ＲＳＴ）、移動通信端末機１１０がパケットデータサービングノード１２６と点対点プロトコルを折衝するのにかかる所要時間である点対点プロトコル折衝時間（Pont-to-Point Protocol Negotiation Time：ＰＰＰＮＴ）、移動通信端末機１１０がパケットデータサービングノード１２６にＤＮＳを要請するのにかかる所要時間であるＤＮＳ要請時間（ＤＮＳＱＴ：Domain Name Server Query Time）、移動通信端末機１１０がＷＡＰゲートウェイ１２８に接続するのにかかる所要時間であるＷＡＰゲートウェイ接続時間（Wireless Application Protocol Gateway Access Time：ＷＧＡＴ）、移動通信端末機１１０がコンテンツ提供サーバ１３０に接続して初期ページをダウンロードするのにかかる所要時間である初期ページダウンロード時間（ＰＤＴ：Primary Page Download Time）などを含む。
【０１０２】
また、体感成功率情報は、移動通信端末機１１０が無線インターネットサービスに接続した成功率である接続成功率、移動通信端末機１１０が無線インターネットサービスを用いてコンテンツ提供サーバ１３０からコンテンツを検索した成功率である検索成功率、及び移動通信端末機１１０が上記無線インターネットサービスを用いてコンテンツ提供サーバ１３０へデータを正常に伝送した成功率である伝送成功率などを含む。
【０１０３】
ここで、移動通信端末機１１０が無線インターネットサービスに接続を試みた回数を試み回数とし、移動通信端末機１１０が無線インターネットサービス接続に失敗した回数を接続失敗回数とし、移動通信端末機１１０がコンテンツ提供サーバ１３０に接続してコンテンツを検索することに失敗した回数を検索失敗回数とし、移動通信端末機１１０がコンテンツ提供サーバ１３０へデータを伝送することに失敗した回数を伝送失敗回数と仮定すると、接続成功率＝（試み回数−接続失敗回数）／試み回数、検索成功率＝（試み回数−接続失敗回数−検索失敗回数）／（試み回数−接続失敗回数）、伝送成功率＝（試み回数−接続失敗回数−検索失敗回数−伝送失敗回数）／（試み回数−接続失敗回数−検索失敗回数）となる。
【０１０４】
９Ｃは、移動通信端末機１１０が無線インターネットサービスに接続する過程で収集するプログラム誤り情報を例示的に示すものである。
【０１０５】
本発明の好ましい実施形態に係るプログラム誤り情報は、無線インターネット接続プログラムで無線インターネットサービスへの接続中に、ネットワーク接続誤り、コンテンツバージョン（Version）誤り、及び保安モジュールの接続失敗などの誤りログを含む。
【０１０６】
９Ｃに図示したプログラム誤り情報は、無線インターネット接続プログラムで誤りが発生する時の誤りコード、誤り内容説明、及び表示方法を例示的に示すものである。
【０１０７】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施形態は本発明を限定するためのものでなく、説明するためのものであり、このような実施形態により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【０１０８】
【図１】本発明の第１実施形態に係る移動通信端末機を用いた無線インターネットサービス品質測定システムを簡略に示すブロック構成図である。
【図２】本発明の第１実施形態に係る移動通信端末機を用いた無線インターネットサービス品質測定方法を説明するためのフローチャートである。
【図３】本発明の第２実施形態に係るメッセージハンドラーを用いた無線インターネットサービス品質測定移動通信端末機を簡略に示すブロック構成図である。
【図４】本発明の第２実施形態に係るメッセージハンドラーを用いた無線インターネットサービス品質測定方法を説明するためのフローチャートである。
【図５】本発明の第２実施形態に係るメッセージハンドラーを用いた専門家用無線インターネットサービス品質測定方法を説明するためのフローチャートである。
【図６】本発明の第３実施形態に係る共有メモリを用いた無線インターネットサービス品質測定移動通信端末機を簡略に示すブロック構成図である。
【図７】本発明の第３実施形態に係る共有メモリを用いた無線インターネットサービス品質測定方法を説明するためのフローチャートである。
【図８】本発明の第３実施形態に係る共有メモリを用いた専門家用無線インターネットサービス品質測定方法を説明するためのフローチャートである。
【図９】本発明の好ましい実施形態に係る品質測定情報を説明するための例示図である。
【符号の説明】
【０１０９】
１１０  移動通信端末機
１２０  移動通信網
１２２  基地局
１２４  基地局制御機
１２６  パケットデータサービングノード
１２８  ＷＡＰゲートウェイ
１３０  コンテンツ提供サーバ
１４０  品質管理サーバ
３１０  移動通信処理部
３２０、６１０  無線インターネット処理部
３３０、６２０  無線インターネット接続部
３４０、６３０  品質測定部
３５０  設定情報格納部
６４０  共有メモリ
【図１】
2009515464.tif 000003
【図２】
2009515464.tif 000004
【図３】
2009515464.tif 000005
【図４】
2009515464.tif 000006
【図５】
2009515464.tif 000007
【図６】
2009515464.tif 000008
【図７】
2009515464.tif 000009
【図８】
2009515464.tif 000010
【図９】
2009515464.tif 000011
【国際調査報告】
2009515464.tif 000012
2009515464.tif 000013